(57)【特許請求の範囲】
【請求項１】
複数枚の電極板からなる極板群を収納して左右に並設された複数のセルを有する電槽体と、側壁を有して前記電槽体を上方から被覆する蓋体と、左右の端に配置されたそれぞれのセルに対応する位置で前記蓋体に設けられた電極端子とを有し、
前記蓋体に、セル毎に対応する位置にセル内で発生したガスをセルから排出する排気孔が形成され、前記排気孔から排出されたガスが集まるとともにフィルタを備えた排気室が設けられ、各セル内で発生したガスを前記排気室に向けて案内する案内路とが形成され、ガスを側壁から外部へ排気する排気口が形成され、前記排気口と前記排気室とを連通する排気路が設けられた密閉型鉛蓄電池であって、
前記排気室が端のセルの左右方向内方にあるセルに対応する位置に設けられ、前記排気路がセルの前記左右方向に延在し、前記排気室から近い側の前記側壁に前記排気口が設けられており、
前記排気路の延在する長さが、１つのセルの前記左右方向の長さ以上であることを特徴とする密閉型鉛蓄電池。
【請求項２】
セルは三つ以上並設されて、排気室が端のセルの隣に並設されたセルに対応する位置に設けられていることを特徴とする請求項１記載の密閉型鉛蓄電池。
【請求項３】
蓋体の側部に電槽体を被覆した状態で蓋体の中心側に向けて窪む凹部が設けられ、排気室に連通するとともに該凹部から側方に向けて突出して、且つ先端は蓋体の外縁よりも側方へ突出しない排気管が設けられ、排気管の先端に排気口が形成されていることを特徴とする請求項１または請求項２記載の密閉型鉛蓄電池。
【発明の詳細な説明】
【技術分野】
【０００１】
本発明は、密閉型鉛蓄電池に関し、特にその蓋体の構造に関する。
【背景技術】
【０００２】
密閉型鉛蓄電池において、セル内で発生するガスを外部へ排出するよう構成されているものとして、例えば特許文献１に示すものがある。一般に、密閉型鉛蓄電池は、複数のセル（槽）を有する電槽体と、セル内に収納された極板群と、電槽体を上方から覆う蓋体と、左右の端に配置された各セルに対応する位置で蓋体から突出する正負一対の電極端子とを有し、蓋体にはセル毎に対応する位置にセル内で発生した水素ガス等のガスを外部へ排出する排気孔が形成されている。また蓋体には、排気孔から排出されたガスを集める排気室が、端のセルに対応する位置に形成されており、さらに蓋体には、各セル内で発生したガスを排気室に向けて案内する案内路が形成されており、ガスを蓋体の側方から排気するための排気口が排気室に連通するよう蓋体に形成されている。
【特許文献１】実開昭５７−１０７２７１号公報
【発明の開示】
【発明が解決しようとする課題】
【０００３】
上記従来の密閉型鉛蓄電池のように、電極端子は端に配置されたセルに対応する位置にあり、しかも排気室も端に配置されたセルに対応する位置に設けられているから、その端のセルは、他のセルに比べて左右の幅が大きくならざるを得ない。換言すれば、セルの左右幅が等しく形成されていない。
【０００４】
そして各セルには、通常同じ枚数の電極板が収納されているから、セルの左右幅が異なると、幅の狭いセルに収納された電極板を押圧する力と、幅の広いセルに収納された電極板を押圧する力とに差が生じることになる。そうすると、セルの電圧にアンバランスが発生して、鉛蓄電池の寿命が短くなってしまう。
【０００５】
そこで、本発明は上記課題に鑑み、セルの電圧に生じるアンバランスを防止して電池の寿命が短くなるのを防止し得る密閉型鉛蓄電池の提供を課題とする。
【課題を解決するための手段】
【０００６】
本発明の密閉型鉛蓄電池は、複数枚の電極板からなる極板群を収納して左右に並設された複数のセルを有する電槽体と、側壁を有して前記電槽体を上方から被覆する蓋体と、左右の端に配置されたそれぞれのセルに対応する位置で前記蓋体に設けられた電極端子とを有し、前記蓋体に、セル毎に対応する位置にセル内で発生したガスをセルから排出する排気孔が形成され、前記排気孔から排出されたガスが集まるとともにフィルタを備えた排気室が設けられ、各セル内で発生したガスを前記排気室に向けて案内する案内路とが形成され、ガスを側壁から外部へ排気する排気口が形成され、前記排気口と前記排気室とを連通する排気路が設けられた密閉型鉛蓄電池であって、前記排気室が端のセルの左右方向内方にあるセルに対応する位置に設けられ、前記排気路がセルの前記左右方向に延在し、前記排気室から近い側の前記側壁に前記排気口が設けられており、前記排気路の延在する長さが、１つのセルの前記左右方向の長さ以上であることを特徴としている。
【０００７】
上記構成において、フィルタを備えた排気室を、端のセルの左右方向内方にあるセルに対応する位置に配置することにより、その分だけ端のセルに対応する蓋体の左右幅を小さくすることができるから、電極端子が左右の端のセルに対応する位置で蓋体に設けられていたとしても、セルの左右幅を均等にすることができ、セルの電圧に生じるアンバランスを防止して電池の寿命が短くなるのが抑制される。
【０００８】
本発明の密閉型鉛蓄電池では、セルは三つ以上並設されて、排気室が端のセルの隣に並設されたセルに対応する位置に設けられていることを特徴としている。
【０００９】
この構成においても、上記と同様にセルの左右幅を均等にしてセルの電圧に生じるアンバランスを防止して電池の寿命が短くなるのが抑制される。
【００１０】
本発明の密閉型鉛蓄電池では、蓋体の側部に電槽体を被覆した状態で蓋体の中心側に向けて窪む凹部が設けられ、排気室に連通するとともに該凹部から側方に向けて突出して、且つ先端は蓋体の外縁よりも側方へ突出しない排気管が設けられ、排気管の先端に排気口が形成されていることを特徴としている。
【００１１】
上記構成によれば、排気口が蓋体の外縁よりも側方へ突出していないから、側部から突出する排気管を設けたとしても、これが邪魔になることを回避することができ、しかも蓋体のコンパクト性を損なわない。
【発明の効果】
【００１２】
本発明によれば、フィルタを備えた排気室を、端のセルの左右方向内方にあるセルに対応する位置に配置することにより、その分だけ端のセルに対応する蓋体の左右幅を小さくすることができるから、電極端子が左右の端のセルに対応する位置で蓋体に設けられていたとしても、セルの左右幅を均等にすることができ、セルの電圧に生じるアンバランスを防止して電池の寿命が短くなる等の弊害を防止することができる。
【発明を実施するための最良の形態】
【００１３】
以下、本発明の実施形態に係る密閉型鉛蓄電池（以下単に「蓄電池」と記載する）を、６セルの場合を例に図１ないし図１０に基づいて説明する。これらの図に示すように、蓄電池１は、電槽体３と蓋体５とを有する。電槽体３は、複数枚の電極板からなる極板群Ｄを収納して左右に並設されたセル２を有して直方体形状に形成されている。蓋体５は、中蓋６と隠し蓋（上蓋）７とから構成される。図２の正面図に示すように、中蓋６は、電槽体３の上端面に上方から嵌合する嵌合部８を下部に有するとともに嵌合部８の上部に一体形成された平面視矩形のガス案内部１０と、左右の隅部に極板群Ｄの正・負電極板の取付け部６Ａ，６Ｂとを有する。中蓋６の嵌合部８は下部四辺に電槽体３の上端部に上方から重なり該上端部をその側方で覆うものである。中蓋６のガス案内部１０は、所定の高さに形成された側壁４を有する。
【００１４】
図１の全体平面図および図３の側面図に示すように、中蓋６の嵌合部８、ガス案内部１０のうち、ガス案内部１０のみの側部（後右隅部）に、ガス案内部１０の中心側に向けて窪む段付き状の凹部１１が形成されている。この凹部１１の側面１２から側方に向けて排気管１３が突出するよう形成されている。ガス案内部１０のみの側部に凹部１１を形成したことにより、蓋体５は電槽体３を被覆した状態を保持している。
【００１５】
排気管１３の先端部は平面視して嵌合部８の外縁辺１４よりも側方へ突出しない長さに形成されている。排気管１３の先端部は、先窄まりの円錐面に形成され、さらに排気管１３の先端部には、側面視して十字となっている切込み１５が形成されている。
【００１６】
図４の正面縦断面図に示すように、中蓋６の下面に、セル２毎に対応する位置にセル２内で発生したガス１６をセル２から排出する排気孔１７を有する挿込み口部１８（液口栓を兼用している）が、下方へ突出するよう左右方向に並べて一体的に形成されている。また、中蓋６の上面にはガス案内部１０の平面視形状に沿う外枠２０が形成されており、その内側領域が下方へ向けて窪むように形成されている。
【００１７】
図５の側面縦断面図に示すように、前記挿込み口部１８は、その下部が鋭角尖端的に形成されるとともに、全体が筒状に形成されており、排気孔１７は挿込み口部１８の外周面に前後一対で穿設された孔１７ａを含んでいる。そして排気孔１７は、中蓋６の上面に形成されて隠し蓋７で覆われる前記外枠２０内の領域に連通して解放されている。さらに詳しくは、外枠２０の内側に前記外枠２０とは別の内枠２１が形成されており、排気孔１７は内枠２１内に解放される構成となっており、内枠２１の内側がガス案内空間２２とされている。
【００１８】
図４および図６の平面図に示すように、中蓋６における内枠２１の内方には、各挿込み口部１８間に対応する位置に立て壁２３が立設されている。これら立て壁２３は、前記隠し蓋７を中蓋６に装着した際、立て壁２３の上端面が隠し蓋７の下面に当接するようになっている。これら立て壁２３の左右方向離間距離Ｌは均等に配置されており、この左右方向離間距離Ｌはセル２の左右幅に一致している。特に、左右各側の立て壁２３と外枠２０との左右方向距離Ｌは、他の立て壁２３の左右上方向離間距離Ｌと一致している。これら立て壁２３のそれぞれ前側、後側に、且つ交互に、内枠２１側に切欠２５を有している。
【００１９】
図７の底面図に示すように、中蓋６の下面に一体的に形成された挿込み口部１８の間には、下方へ突出する板状の隔壁２７が形成されている。これら隔壁２７の左右方向離間距離Ｌは、前記立て壁２３の左右方向離間距離Ｌ、すなわちセル２の左右幅に一致している。これら隔壁２７は、それぞれ前側・後側に交互に切欠かれた凹状合せ部２８を有する。凹状合せ部２８を形成する前後の切欠面３０，３１は、上方へ向けて幅狭になるよう傾斜して形成されている。隣合う隔壁２７における切欠面３０，３１の始端部３２，３３どうしは、これを側方に投影した場合に重なりを有する位置関係にあることが好ましい。また、前記挿込み口部１８の下端部と隔壁２７の下端面とはほぼ同一高さに設定されている。
【００２０】
本発明の実施形態では、６セルタイプでの蓄電池１を説明しており、各セル２の左右幅は均等に形成されている。そして、図示しないが、セル２のセル壁３４の上部は、側面視すると隔壁２７と相対形状に形成されている。すなわち、セル壁３４の上部には凹状合せ部２８と相対形状の凸状合せ部３５が形成されている（図５参照）。すなわち、電槽体３に中蓋６を載置して嵌合すると、凹状合せ部２８と凸状合せ部３５とが上下方向で重なって、隔壁２７によりセル２毎に区画された領域が形成されることになって、セル２どうしでのガス１６の往き来が遮断された状態となる。
【００２１】
隠し蓋７は、中蓋６の上面の一部を覆うよう中蓋６の後方寄りに上方から嵌合するものである。図８の底面図に示すように、隠し蓋７の下面には、前記内枠２１の上端面に上方から重なる内枠２１と同一形状の合せ枠３６が形成され、さらに前記各立て壁２３の上端面に上方から重なる錘壁３７が形成されている。この錘壁３７にも、前側・後側に、交互に切欠２６を有しており、隠し蓋７を中蓋６に装着した状態（密閉した状態）で、これら切欠２６によって後述の排気室３８にガス１６を案内する案内路４０が形成される。なお、図９の半断面図に示すように、隠し蓋７の前後部には下方へ延びて中蓋６に形成された係止用切欠６ａに係止する係止爪４１が形成されている。
【００２２】
図８、図９の符号７ａは、隠し蓋７の取付け時に挿込み口部１８の上方に位置して、挿込み口部１８から電解液が飛び散るのを抑制する環状の突起を示す。符号７ｂは隠し蓋７の取付け時に所定の立て壁２３にその両側から嵌合して錘壁３７をその場に保持し易くするための保持爪を示す。符号７ｃは後述の遮蔽壁４６の円弧面に前側で重なる凹面で、その両側には凹面７ｃを形成すべく凸片７ｄが形成されている。
【００２３】
ここで、前記排気室３８について説明する。図５、図６、図１０に示すように、排気室３８は、右端のセル２に上方で対応する中蓋６部分にはなく、右端のセル２に隣合う右端から二番目のセル２に上方で対応する中蓋６の部分の後方に形成されている。換言すれば、右端の立て壁２３（２３ａ）とそれに隣合う立て壁２３（２３ｂ）の間に配置されている。排気室３８が中蓋６の部分の後方に形成されるのは、右端の立て壁２３における切欠２５が後方に配置されているからである。さらに、排気室３８は、下方に窪む平面視して円形の有底凹部状に形成されており、その周壁４２の上下方向途中に、防爆フィルタ４３の外周部が載置される段付き面４４を有している。
【００２４】
排気室３８の外周部において、その前側は立て壁２３よりも低い円弧状の導入壁４５によって囲まれ、後側は立て壁２３と同等の高さを有する円弧状の前記遮蔽壁４６によって囲まれ、遮蔽壁４６の円弧中心は内枠２１に一体形成されている。また、遮蔽壁４６の前端面４７と切欠２５とを側方に投影した場合、遮蔽壁４６の前端面４７は切欠２５の間に位置している。
【００２５】
特に図１０に示すように、排気室３８を形成する外周壁４２の排気管１３側の一部が排気管１３に向けて延長された延長管４８とされて、この延長管４８が排気管１３と一体化され、延長管４８および排気管１３は、その中心に排気路５０が形成されており、排気路５０は排気室３８の内部空間と排気管１３の端部の排気口５１とを連通している。
【００２６】
上記構成の蓄電池１において、電槽体３に中蓋６を上方から嵌合するようにすると、隔壁２７の凹状合せ部２８とセル壁３４の凸状合せ部３５とが合致する。このように、隔壁２７には凹状合せ部２８を設けセル壁３４には凸状合せ部３５を設けて、それぞれの切欠面どうしを合わせることで、容易に且つ正確に電槽体３に中蓋６を装着することができる。そして、隔壁２７の凹状合せ部２８とセル壁３４の凸状合せ部３５とが合致することで各セル２間が遮蔽されるから、セル２間でのガス１６の往き来がなくなる。このためセル２で発生したガス１６が他のセル２で吸収されることが防止でき、セル２のアンバランスを抑制することができる。
【００２７】
隠し蓋７を中蓋６に上方から装着すると、挿込み口部１８等を覆い隠すことになって、煩雑な構成部分が使用者に見えないから、蓄電池１がすっきりして見栄えがよいとともに、隠し蓋７を中蓋６に上方から装着することで、中蓋６の立て壁２３に隠し蓋７の錘壁３７が上方から重なって、隠し蓋７、錘壁３７には切欠２５，２６が合致した位置に挿込み口部１８から排出されるガス１６を排気室３８に案内する案内路４０が形成されることになる。
【００２８】
そして、挿込み口部１８から排出されたガス１６は排気室３８に案内されて、延長管４８から排気管１３へと、その中心に形成された排気路５０を通過してセル２と連通することなく排気管１３の端部の排気口５１から外部へ排出されることになる。そして、上記のようにセル２間でガス１６が往き来することなく、ガス１６は排気室３８に集まって一括して排気口５１から排出されるから、セル２を往き来する過程でガス１６の吸収に伴う電圧等のアンバランスがなくなり、しかも排気室３８を端のセル２の隣のセル２に相当する領域に形成してあるから、端のセル２に相当する部分の蓋体５（中蓋６）の構造をすっきりさせて、もって各セル２の左右幅を均一にすることができるから、いっそう確実にセル２のアンバランスを防止することができ、蓄電池１の電池寿命を延ばすことができる。
【００２９】
また排気管１３の先端部は中蓋６から側方に突出していないから、蓄電池１のコンパクト性を失うことがなく、しかも確実にガス１６を排出することができ、排気口５１は平面（例えば凹部１１の側面１２）に開放されるものではないから、汚れ等による排気口５１の詰まりが防止できる。あるいは、仮に排気口５１が詰まったとしても、切込み１５からガス１６の排出が可能になって排気効率の低下を抑制することができる。
【００３０】
上記実施形態では６セルタイプの蓄電池１で説明したが、３セルタイプの蓄電池１であっても、排気室３８を端のセル２の隣のセル２に相当する領域に形成して上記実施形態と同様にして蓋体（中蓋６）の側方から排出するようにすれば、セル２の左右幅を均等にすることができる。
【図面の簡単な説明】
【００３１】
【図１】本発明の実施形態を示す蓄電池の全体平面図
【図２】同じく正面図
【図３】同じく側面図
【図４】同じく正面縦断面図
【図５】同じく側面断面図
【図６】同じく隠し蓋を取外した状態のガスの流れを示す平面図
【図７】同じく中蓋の底面図
【図８】同じく隠し蓋の単体底面図
【図９】同じく隠し蓋の半断面図
【図１０】同じく排気室と延長管および排気管を主とした部分拡大縦断面図
【符号の説明】
【００３２】
１…蓄電池、２…セル、３…電槽体、６…中蓋、７…隠し蓋、１３…排気管、１５…切込み、１６…ガス、１８…挿込み口部、２３…立て壁、２５，２６…切欠、２７…隔壁、２８…凹状合せ部、３４…セル壁、３５…凸状合せ部、３７…錘壁、３８…排気室、４０…案内路、４８…延長管、５０…排気路、５１…排気
【図１】
0005386773.tif 000002
【図２】
0005386773.tif 000003
【図３】
0005386773.tif 000004
【図４】
0005386773.tif 000005
【図５】
0005386773.tif 000006
【図６】
0005386773.tif 000007
【図７】
0005386773.tif 000008
【図８】
0005386773.tif 000009
【図９】
0005386773.tif 000010
【図１０】
0005386773.tif 000011